(57)【特許請求の範囲】
【請求項１】
化粧品内容物が収納された収納容器；
前記収納容器の上部に結合され、化粧品内容物の移動路を形成するノズルと、マッサージ部の押圧によるスイッチの作動によって振動を発生させる振動手段とを備えたハウジング；
前記収納容器の上部に結合され、前記ハウジングを内包するショルダー；
前記ショルダーの上部に上下移動可能に結合され、上部キャップ及び下部キャップの間に備えられたマッサージボールを持つマッサージ部；及び
前記ショルダーの上部に着脱可能に備えられ、前記マッサージ部を保護する蓋；を含むことを特徴とする、振動手段を備えた化粧品容器。
【請求項２】
前記スイッチは前記ハウジングの上部に備えられ、前記マッサージ部の押圧または解除によって押込み操作されて前記振動手段をオン（ｏｎ）またはオフ（ｏｆｆ）させることを特徴とする、請求項１に記載の振動手段を備えた化粧品容器。
【請求項３】
前記マッサージ部の上部キャップ下端部と前記ショルダーの上端部との間には一定間隔の離隔空間を形成して前記マッサージ部の押圧ができるようにすることを特徴とする、請求項１または２に記載の振動手段を備えた化粧品容器。
【請求項４】
前記収納容器の上部に結合され、化粧品内容物を吐き出すポンプユニットが備えられたポンプ容器と、
前記ハウジングの下部に結合され、前記ポンプ容器を着脱可能に内包する容器本体とをさらに含み、
前記収納容器は、前記収納容器の上部に形成され、外周縁に前記ポンプユニットが結合する第１開口部と、前記第１開口部の他側である前記収納容器の下部に形成され、外力の印加により、前記化粧品内容物を吐き出すように前記ポンプユニットを作動させ、外力の解除により、前記化粧品内容物の吐き出しを停止するように前記ポンプユニットを作動させるプッシュボタンと、を有することを特徴とする、請求項１に記載の振動手段を備えた化粧品容器。
【請求項５】
前記収納容器の下部外側に、押込み防止手段に対応する押込み防止突起が形成されたことを特徴とする、請求項４に記載の振動手段を備えた化粧品容器。
【請求項６】
前記押込み防止突起に対応して、前記容器本体の下部内側に押込み防止手段が形成されており、
前記プッシュボタンの回動によって前記押込み防止突起及び押込み防止手段が押込み操作されて前記ポンプユニットを作動させるか、あるいは前記押込み防止突起及び押込み防止手段の押込み操作を防止して前記ポンプユニットの作動を中止させることを特徴とする、請求項５に記載の振動手段を備えた化粧品容器。
【発明の詳細な説明】
【技術分野】
【０００１】
本発明は振動手段を備えた化粧品容器に係り、より詳しくは、振動手段を作動させるスイッチをハウジングの上部に備えることで、マッサージ部の押圧可否によってスイッチを押込み操作して振動手段をオン（ｏｎ）／オフ（ｏｆｆ）させるようにした振動手段を備えた化粧品容器に関するものである。
【背景技術】
【０００２】
一般に、振動手段を持つ化粧品容器は、モーターの回転によって振動を発生させる振動手段を容器の内部に備えている。
【０００３】
この際、容器の内部に備えられた振動手段を作動させるためには、モーターを作動させることができるスイッチが必要となる。
【０００４】
このような、モーターを作動させることができるスイッチ（プッシュボタンスイッチ、昇降式スイッチ、電子スイッチ、マイクロスイッチなど）はマッサージ容器の外部に設置される。
【０００５】
したがって、マッサージ容器を使うためには、マッサージ容器の外部に設置されたスイッチを操作して振動手段を作動させた後に使用するものである。
【０００６】
前記のような従来のマッサージ容器を使うために、外部に露出されたスイッチを操作して振動手段を作動させた後にマッサージ容器を使うため、使用者が直接スイッチを操作しなければならない煩わしさがあった。
【０００７】
また、マッサージ容器の使用を終えた後、作動中の振動手段を中止させるために、外部に露出されたスイッチを操作して振動手段の作動を中止しなければならない煩わしさがあった。
【０００８】
そして、マッサージ容器に設置されたスイッチが外部に露出されているため、使用者に美観上の不快感を与える欠点もあった。
【０００９】
なお、マッサージ容器を携帯するとき、使用者が望まない状態でも外部に露出されたスイッチが外力によって操作されて振動手段が作動する問題点があった。
【００１０】
また、使用者が自分の知らぬ間にスイッチが操作されて振動手段が作動するため、バッテリーが消耗される問題点もあった。
【発明の概要】
【発明が解決しようとする課題】
【００１１】
本発明は前記の問題点を解決するためになされたもので、振動手段を作動させるスイッチをハウジングの上部に備えることで、マッサージ部の押圧によってスイッチが押されて振動手段がオン（ｏｎ）状態となって作動し、マッサージ部の押圧が解除されることによってスイッチが復元して振動手段がオフ（ｏｆｆ）状態となって作動を中止するようになる振動手段を備えた化粧品容器を提供することにその目的がある。
【課題を解決するための手段】
【００１２】
前述した目的は、化粧品内容物が収納された収納容器と、前記収納容器の上部に結合され、化粧品内容物の移動路を形成するノズル及びマッサージ部の押圧によるスイッチの作動によって振動を発生させる振動手段を備えたハウジングと、前記ハウジングを内包するショルダーと、前記ショルダーの上部に上下移動可能に結合され、上部キャップ及び下部キャップの間に備えられたマッサージボールを持つマッサージ部と、前記ショルダーの上部に着脱可能に備えられ、前記マッサージ部を保護する蓋とを含む、振動手段を備えた化粧品容器によって達成される。
【００１３】
前記スイッチは前記ハウジングの上部に備えられ、前記マッサージ部の押圧または解除によって押込み操作されて前記振動手段をオン（ｏｎ）またはオフ（ｏｆｆ）させることを特徴とする。
【００１４】
前記マッサージ部の上部キャップ下端部と前記ショルダーの上端部との間には一定間隔の離隔空間を形成して前記マッサージ部の押圧ができるようにすることを特徴とする。
【００１５】
前記収納容器の上部に結合され、化粧品内容物を吐き出すポンプユニットが備えられたポンプ容器と、前記ハウジングの下部に結合され、前記ポンプ容器を着脱可能に内包する容器本体とをさらに含み、前記収納容器は、上部に第１開口部が形成され、前記第１開口部の他側にプッシュボタンが形成されることを特徴とする。
【００１６】
前記収納容器の下部外側に、押込み防止手段に対応する押込み防止突起が形成されたことを特徴とする。
【００１７】
前記押込み防止突起に対応して、前記容器本体の下部内側に押込み防止手段が形成されており、前記プッシュボタンの回動によって前記押込み防止突起及び押込み防止手段が押込み操作されて前記ポンプユニットを作動させるか、あるいは前記押込み防止突起及び押込み防止手段の押込み操作を防止して前記ポンプユニットの作動を中止させることを特徴とする。
【発明の効果】
【００１８】
したがって、本発明の振動手段を備えた化粧品容器によれば、振動手段を作動させるスイッチをハウジングの上部に備えることで、製品使用の際、使用しようとする部位にマッサージ部を押圧させることだけでスイッチが押されて振動手段がオン（ｏｎ）状態となって作動し、使用を終えた後、押圧されたマッサージ部の押圧を解除することだけでスイッチが復元して振動手段がオフ（ｏｆｆ）状態となって作動を中止するようになる使用上便利な利点がある。
【００１９】
本発明の振動手段を備えた化粧品容器は、振動手段を作動させるスイッチがハウジングの上部に備えられているので、スイッチが外部に露出されなくて使用者に審美感を与える利点もある。
【００２０】
本発明の振動手段を備えた化粧品容器を携帯するとき、振動手段を作動させるスイッチがハウジングの上部に備えられているので、使わない場合にはマッサージ部を保護する蓋によってスイッチが作動しなくてバッテリーを無駄に消耗しない利点がある。
【００２１】
本発明の振動手段を備えた化粧品容器には押込み防止手段を備えることで、使わない場合にはプッシュボタンを回動させることでポンプユニットが作動しないようにすることにより、化粧品内容物の無駄使いを防止することができる利点がある。
【図面の簡単な説明】
【００２２】
【図１】本発明の第１実施例による振動手段を備えた化粧品容器を示す斜視図である。
【図２】本発明の第１実施例による振動手段を備えた化粧品容器を分解して示す分解斜視図である。
【図３】図１の‘Ａ−Ａ’線についての断面図である。
【図４】本発明による振動手段を備えた化粧品容器を押圧した状態を示す使用状態図である。
【図５】本発明による振動手段を備えた化粧品容器の押圧を解除した状態を示す使用状態図である。
【図６】本発明の第２実施例による振動手段を備えた化粧品容器を示す斜視図である。
【図７】本発明の第２実施例による振動手段を備えた化粧品容器を分解して示す分解斜視図である。
【図８】図６の‘Ｂ−Ｂ’線についての断面図である。
【発明を実施するための形態】
【００２３】
本明細書及び請求範囲に使用された用語や単語は通常的もしくは辞書的な意味に限定して解釈されてはいけなく、発明者は自分の発明を最良の方法で説明するために用語の概念を適切に定義することができるという原則に従って本発明の技術的思想に合う意味と概念に解釈されなければならない。
【００２４】
以下、添付図面に基づいて本発明の各実施例による振動手段を備えた化粧品容器１００を説明すれば次のようである。
【００２５】
（第１実施例）
本発明の第１実施例による振動手段を備えた化粧品容器１００は、収納容器１１１と、収納容器１１１の上部に結合され、振動を発生させる振動手段１３３を備えたハウジング１３０と、ハウジング１３０を内包するショルダー１４０と、ショルダー１４０の上部に結合されてマッサージを行うマッサージ部１５０と、ショルダー１５０の上部に備えられる蓋１６０とを含んでなる。
【００２６】
収納容器１１１は、図１〜図５に示したように、上部に第１開口部１１１ａが形成され、その内部に化粧品内容物が収納される。
【００２７】
このような本発明の第１実施例による収納容器１１１は、外部からの押圧によって弾力的に反応して化粧品内容物を吐き出すチューブ形に形成されることができる。
【００２８】
収納容器１１１の第１開口部１１１ａには、内側にハウジング１３０が結合されるとともに外側にハウジング１３０を内包するショルダー１４０が結合される。
【００２９】
ハウジング１３０は、図２〜図５に示したように、第１開口部１１１ａの内側に結合され、化粧品内容物の移動路を形成するノズル１３１と、マッサージ効果を与えるように振動を発生させる振動手段１３３と、振動手段１３３を制御するスイッチ１３５とが内部に設置される。
【００３０】
ノズル１３１は、上部に形成された挿合部１３１ａが下部キャップ１５３に形成された挿合孔１５３ａに結合され、下部に形成された密閉部１３１ｂが化粧品内容物が漏出しないようにハウジング１３０の一側に形成された貫通孔１３０ｂに設置される。
【００３１】
振動手段１３３は、回転運動を発生させるモーター１３３ｂと、モーター１３３ｂの回転によって回転運動する回転振動体１３３ａと、モーター１３３ｂに電源を供給するバッテリー１３３ｃとからなる。
【００３２】
スイッチ１３５は、電気的に連結された振動手段１３３を押圧によってオン（ｏｎ）またはオフ（ｏｆｆ）にすることができるようにハウジング１３０の上部に一定程度に突設される。
【００３３】
本発明によるスイッチ１３５は、内部に弾性力を持つ弾性部材が備えられることにより、押圧によって一定程度に圧縮され、押圧を解除すれば一定程度に復元することが好ましい。
【００３４】
ショルダー１４０は、図１〜図５に示したように、ハウジング１３０に設置されたノズル１３１と、振動手段１３３と、スイッチ１３５とを保護するために、ハウジング１３０の外側に備えられ、下端部が第１開口部１１１ａの外側に嵌合される。
【００３５】
マッサージ部１５０は、図１〜図５に示したように、外体をなす上部キャップ１５１と、上部キャップ１５１の下部に結合される下部キャップ１５３と、上部キャップ１５１と下部キャップ１５３との間に備えられるマッサージボール１５５とからなる。
【００３６】
上部キャップ１５１の上部中央には、マッサージボール１５５が外部に露出されながらも上部キャップ１５１を離脱しないように一定大きさの円周長を持つ露出孔１５１ｂが貫通形成される。
【００３７】
下部キャップ１５３の上部一側には化粧品内容物が吐き出される吐出孔１５３ｂが貫通形成され、下部キャップ１５３の下端部に挿合部１３１ａが挿合される挿合孔１５３ａが形成され、挿合孔１５３ａは吐出孔１５３ｂが貫通形成された軸線と同心軸線上に形成される。
【００３８】
下部キャップ１５３はハウジング１３０の上部に設置されたスイッチ１３５の上部に載せられ、下部キャップ１５３の下端両側に形成された結合突起１５３ｃがショルダー１４０の内部に形成された内側段部１４０ｂに係合される。
【００３９】
この際、上部キャップ１５１の下端部１５１ａとショルダー１４０の上端部１４０ａとの間に一定間隔の離隔空間Ｓが形成され、マッサージ部１５０が離隔空間Ｓで上下に移動することができるようになる。
【００４０】
これにより、図４及び図５に示したように、本発明によるマッサージ部１５０が押圧されれば、マッサージ部１５０が離隔空間Ｓだけスイッチ１３５を押し込むことにより振動手段１３３がオン（ｏｎ）状態となり、マッサージ部１５０への押圧が解除されれば、スイッチ１３５がマッサージ部１５０を離隔空間Ｓだけ押し出して復元することにより振動手段１３３がオフ（ｏｆｆ）状態となるものである。
【００４１】
蓋１６０は、図１及び図２に示したように、マッサージ部１５０を外部から保護するためにマッサージ部１５０の外側に備えられる。
【００４２】
一方、前記のような構成を持つ本発明の第１実施例による振動手段を備えた化粧品容器１００を使う過程を説明すれば次のようである。
【００４３】
まず、マッサージ部１５０を保護する蓋１６０を取り外した後、収納容器１１１に外力を加えることで、化粧品内容物を下部キャップ１５３に形成された吐出孔１５３ｂに吐き出す。
【００４４】
ついで、マッサージ部１５０に備えられたマッサージボール１５５を使用者がマッサージしたい部位に接触して押圧しながら擦る。
【００４５】
この際、マッサージ部１５０が押圧されれば、マッサージ部１５０が離隔空間Ｓで移動してスイッチ１３５を押し込むことにより、振動手段１３３がオン（ｏｎ）状態となって作動するようになる。
【００４６】
これにより、使用者が適用しようとする部位にマッサージボール１５５を接触して擦ることだけで化粧品内容物が接触部位に付き、振動手段１３３がオン（ｏｎ）状態となってマッサージするようになるものである。
【００４７】
そして、使用を中止しようとするときは、押圧しながら擦る振動手段を備えた化粧品容器１００を接触部位から分離する。
【００４８】
この際、マッサージ部１５０への押圧が解除されるとともにスイッチ１３５がマッサージ部１５０を離隔空間Ｓだけ押し出して復元するので、振動手段１３３がオフ（ｏｆｆ）状態となって作動を中止するようになる。
【００４９】
これにより、使用者が使用を中止しようとするときは、使用中の振動手段を備えた化粧品容器１００を接触部位から分離するだけで振動手段１３３をオフ（ｏｆｆ）して使用を中止することができるものである。
【００５０】
（第２実施例）
本発明の第２実施例による振動手段を備えた化粧品容器１００は、第１実施例の構成要素のうち、振動を発生させる振動手段１３３を備えたハウジング１３０と、ハウジング３００を内包するショルダー１４０と、ショルダー１４０の上部に結合され、マッサージを行うマッサージ部１５０と、ショルダー１４０の上部に備えられる蓋１６０とが同一であるので、これらについての説明を省略する。ただ収納容器１１１と、収納容器１１１の上部に結合されるポンプユニット１１３を持つポンプ容器１１０と、ポンプ容器１１０を着脱可能に内包する容器本体１２１とにだけ相違点があることを付言する。
【００５１】
まず、本発明の第２実施例による収納容器１１１は、図６ないし図８に示したように、上部に第１開口部１１１ａが形成され、第１開口部１１１ａの他側にプッシュボタン１１１ｂが形成される。
【００５２】
収納容器１１１には、下部外側に押込み防止手段１２１ｃに対応する押込み防止突起１１１ｃが両側方向に対称に突設される。
【００５３】
収納容器１１１の内部には真空圧によって化粧品内容物を押して上げる昇降ピストン１１２が備えられる。
【００５４】
ポンプユニット１１３は、第１開口部１１１ａの外周縁に結合するポンプヘッド１１３ａと、ポンプヘッド１１３ａの下部に結合されたポンプシリンダー１１３ｂと、ポンプシリンダー１１３ｂの内部に設置され、化粧品内容物が移動する移送路１１３ｃ−１が形成された作動ピストン１１３ｃと、作動ピストン１１３ｃの外側に設置され、押圧ピストン１１３ｅによって移送路１１３ｃ−１を開閉する役目をする密閉ピストン１１３ｄと、作動ピストン１１３ｃと密閉ピストン１１３ｄに外力を加える押圧ピストン１１３ｅと、ポンプヘッド１１３ａと押圧ピストン１１３ｄとの間に備えられ、押圧によって押されられた押圧ピストン１１３ｄを元の位置に復帰させる役目をするスプリング１１３ｆと、ポンプシリンダー１１３ｂの内側下部に設置され、化粧品内容物がポンプシリンダー１１３ｂの内部にだけ移動するようにする役目をするチェックバルブ１１３ｇとからなる。
【００５５】
前記のような本発明の第２実施例による振動手段を備えた化粧品容器１００の構成要素のうち、化粧品内容物を吐き出すポンプ容器１１０の作動を下記のように具体的に説明する。
【００５６】
まず、プッシュボタン１１１ｂに外力を加えれば、プッシュボタン１１１ｂに連結された押圧ピストン１１３ｅが、押圧ピストン１１３ｅに結合された作動ピストン１１３ｃと密閉ピストン１１３ｄを下方に移動させることで、密閉ピストン１１３ｄによって閉鎖された移送路１１３ｃ−１を開放するようになる。
【００５７】
この際、作動ピストン１１３ｃと密閉ピストン１１３ｄが下方に移動するにつれてポンプシリンダー１１３ｂの内部空間が狭小になって圧力が増加することにより、ポンプシリンダー１１３ｂの内部に収納された化粧品内容物が移送路１１３ｃ−１を通じて外部に吐き出される。
【００５８】
そして、プッシュボタン１１１ｂに加えた外力を解除すれば、ポンプヘッド１１３ａと押圧ピストン１１３ｅとの間で圧縮されたスプリング１１３ｆの弾性復元力によって押圧ピストン１１３ｅが上昇するにつれて、押圧ピストン１１３ｅに結合された作動ピストン１１３ｃと密閉ピストン１１３ｄが上方に移動することにより、開放された移送路１１３ｃ−１が密閉ピストン１１３ｄによって閉鎖される。
【００５９】
この際、作動ピストン１１３ｃと密閉ピストン１１３ｄが上方に移動するにつれてポンプシリンダー１１３ｂの内部空間が広くなって真空圧が発生することにより、収納容器１１１に収容された化粧品内容物がチェックバルブ１１３ｇを通じてポンプシリンダー１１３ｂの内部に再び移送されるものである。
【００６０】
容器本体１２１は、図６ないし図８に示したように、ポンプ容器１１０が内部に着脱可能に挿合できるように、ポンプ容器１１０の外周の直径で内部が貫通形成される。
【００６１】
容器本体１２１には、上部に形成された第２開口部１２１ａの内側平面に化粧品内容物が移動する孔１２１ｂが貫通形成され、下部の内側部の両側に押込み防止突起１１１ｃに対応する押込み防止手段１２１ｃが形成される。
【００６２】
容器本体１２１に形成された第２開口部１２１ａは、内側にハウジング１３０が結合され、外側にハウジングを内包するショルダー１４０が結合される。
【００６３】
前記のような本発明の第２実施例による振動手段を備えた化粧品容器１００によれば、押込み防止突起１１１ｃに対応して、容器本体１２１に形成された押込み防止手段に１２１ｃが備えられることにより、プッシュボタン１１１ｂの回動によって押し込まれてポンプユニット１１３を作動させるか、あるいは押し込み操作を防止してポンプユニット１１３の作動を中止させるようになるものである。
【００６４】
前記のような構成を持つ本発明による振動手段を備えた化粧品容器１００によれば、製品の使用の際、適用しようとする部位にマッサージ部１５０を押圧させることだけによってスイッチ１３５が押し込まれて振動手段１３３がオン（ｏｎ）状態となって作動し、使用を終えた後、押圧されたマッサージ部１５０の押圧を解除することだけによってスイッチ１３５が復元し、振動手段１３３がオフ（ｏｆｆ）状態となって作動を中断するようになる使用上便利な利点がある。
【００６５】
また、振動手段１３３を作動させるスイッチ１３５がハウジング１３０の上部に備えられてスイッチ１３５が外部に露出されないので、使用者に審美感を与える利点もある。
【００６６】
そして、携帯の際、振動手段１３３を作動させるスイッチ１３５がハウジング１３０の上部に備えられ、使用者が使おうとする状況ではない場合には、マッサージ部１５０を保護する蓋１６０によってスイッチ１３５の作動が防止されるので、バッテリー１３３ｃを無駄に消耗しない利点がある。
【００６７】
なお、容器本体１２１に押込み防止手段１２１ｃを形成することにより、使用者が使おうとする状況ではない場合には、プッシュボタン１１１ｂを回動させてポンプユニット１１３が作動できないようにして、化粧品内容物の無駄使いを防止することができる利点がある。
【００６８】
以上では本発明の好適な実施例を例示的に説明したが、本発明の権利範囲はこのような特定の実施例にだけ限定されるものではなく、本発明が属する当業者に自明な範囲は本発明の請求範囲に記載された範疇内に属するものに解釈しなければならないであろう。
【符号の説明】
【００６９】
１００    化粧品容器
１１０    ポンプ容器
１１１    収納容器
１１１ａ    第１開口部
１１１ｂ    プッシュボタン
１１１ｃ    押込み防止突起
１１２    昇降ピストン
１１３    ポンプユニット
１２１    容器本体
１２１ａ    第２開口部
１２１ｂ    孔
１２１ｃ    押込み防止手段
１３０    ハウジング
１３０ｂ    貫通孔
１３１    ノズル
１３３    振動手段
１３５    スイッチ
１４０    ショルダー
１４０ａ    上端部
１５０    マッサージ部
１５１    上部キャップ
１５１ａ    下端部
１５１ｂ    露出孔
１５３    下部キャップ
１５３ａ    挿合孔
１５３ｂ    吐出孔
１５３ｃ    結合突起
１５５    マッサージボール
１６０    蓋
【図１】
0005763265.tif 000002
【図２】
0005763265.tif 000003
【図３】
0005763265.tif 000004
【図４】
0005763265.tif 000005
【図５】
0005763265.tif 000006
【図６】
0005763265.tif 000007
【図７】
0005763265.tif 000008
【図８】
0005763265.tif 000009